(57)【要約】  【課題】アクセスポイントを介して無線機器をネットワークに接続する際の、認証情報の登録作業を、無線機器を購入した店舗内で安全に行うことができる技術を提供する。  【解決手段】  ユーザを識別する会員識別情報と、ユーザとの関係において設置されている第１アクセスポイントの識別情報を対応づけて記憶しておき、無線機器を受け取る店舗に配置されている端末から、会員識別情報を受信し、引き続き、店舗との関係において配置されている第２アクセスポイントを介して、無線機器の識別情報を無線機器から受信し、受信した会員識別情報に対応する第１アクセスポイント識別情報を特定し、特定したアクセスポイント識別情報で識別される第１のアクセスポイントに、受信した機器識別情報を、ネットワークを介して送信する。【選択図】図１
2009182863.tif 000002
【特許請求の範囲】
【請求項１】
サーバと、ユーザとの関係において配置されている第１のアクセスポイントとなる装置と、無線機器を受け取る店舗に配置されている端末と、前記端末との関係において配置されている第２のアクセスポイントとなる装置と、がネットワークを介して接続される認証情報登録システムであって、
前記端末は、
ユーザが保有するユーザを識別する会員識別情報が記憶された記憶媒体から、前記会員識別情報を読み取り、ネットワーク介して前記サーバに送信する手段を有し、
前記サーバは、
前記会員識別情報と、第１の前記アクセスポイントとなる装置を識別するアクセスポイント識別情報と、を対応づけて記憶している手段と、
前記端末から、前記会員識別情報を受信し、引き続き、第２の前記アクセスポイントとなる装置を介して、前記無線機器から前記無線機器識別情報を受信する手段と、
受信した前記会員識別情報に対応する前記アクセスポイント識別情報を特定する手段と、
特定した前記アクセスポイント識別情報で識別される第１の前記アクセスポイントとなる装置に、前記無線機器から受信した前記無線機器識別情報を、ネットワークを介して送信する手段と、を有し、
第１の前記アクセスポイントとなる装置は、
前記サーバから前記無線機器識別情報を、ネットワークを介して受信し、前記サーバから受信した前記無線機器識別情報を登録する手段を有する
ことを特徴とする認証情報登録システム。
【請求項２】
請求項１に記載の認証情報登録システムであって、
前記端末は、
第１の前記アクセスポイントとなる装置が前記無線機器を最初に検出するまでの登録接続期間の入力を受け付け、前記サーバに送信する手段を有し、
前記サーバは、
前記端末から受信した前記登録接続期間を、前記無線機器の無線機器識別情報とあわせて、第１の前記アクセスポイントとなる装置に送信する手段を有し、
第１の前記アクセスポイントとなる装置は、
前記サーバから前記登録接続期間を受信する手段と、
受信した前記登録接続期間内に前記無線機器を未検出であった場合、当該無線機器の無線機器識別情報を削除する手段と、を有する
ことを特徴とする認証情報登録システム。
【請求項３】
請求項１または２に記載の認証情報登録システムであって、
前記サーバは、第１の前記アクセスポイントとなる装置に送信した前記無線機器識別情報、および、前記登録接続期限を含む登録情報を作成し、前記端末に送信する手段を有し、
前記端末は、前記サーバから前記登録情報を受信し、受信した登録情報を印刷する手段を有する
ことを特徴とする認証情報登録システム。
【請求項４】
ユーザとの関係において配置され、ネットワークで接続されている第１のアクセスポイントとなる装置に、購入した無線機器を識別する機器識別情報を登録させるサーバであって、
前記ユーザを識別する会員識別情報と、第１の前記アクセスポイントとなる装置を識別するアクセスポイント識別情報と、を対応づけて記憶している手段と、
前記無線機器を受け取る店舗に配置されている端末から、前記会員識別情報を受信し、引き続き、前記端末との関係において配置されている第２のアクセスポイントとなる装置を介して、前記無線機器から前記機器識別情報を受信する手段と、
受信した前記会員識別情報に対応する前記アクセスポイント識別情報を特定する手段と、
特定した前記アクセスポイント識別情報で識別される第１の前記アクセスポイントとなる装置に、前記受信手段で受信した前記機器識別情報を、ネットワークを介して送信する手段と、を有する
ことを特徴とするサーバ。
【発明の詳細な説明】
【技術分野】
【０００１】
本発明は、ユーザが関係するアクセスポイントおよび無線機器に認証情報を登録する技術に関する。
【背景技術】
【０００２】
近年、家庭内で使用する機器はネットワークに接続して利用するものが増えている。家庭内で各機器をネットワークに接続する際、ケーブルを用いた接続が困難である機器に対しては、例えば、機器と無線通信を行うアクセスポイントを介して、ネットワークと接続するのが適している。
【０００３】
しかし、その場合、機器で処理する情報がユーザの家と隣接する家等に漏れるのを防ぐために、ユーザは機器およびアクセスポイントに、認証情報を手動で入力するなどの煩わしい登録作業を行う必要がある。そして、アクセスポイントを介してネットワークと接続する機器(以下、「無線機器」と称する。)が家庭内に複数ある場合、ユーザはそれぞれの無線機器に対応した登録作業を行う必要があり、さらに、登録作業は煩わしいものとなる。
【０００４】
また、認証情報の登録作業が苦手であるユーザにとっては、登録作業を行うサービスを行っている人にユーザの自宅に出張してもらい、登録作業を依頼する必要があり、登録作業に大きなコストがかかっているのが現状である。
【０００５】
簡単に認証情報の登録作業を行える技術として、特許文献１には、無線携帯端末と通信および充電が行える機能と、載置された無線携帯端末に給電する機能と、無線携帯端末への給電開始がトリガとして、無線携帯端末について認証を行う機能と、認証を成功した場合に無線携帯端末が通信制御を行うのに必要な各種の認証情報を自動的に無線携帯端末に転送する機能とを備えている通信設定手段が記載されている。
【０００６】
【特許文献１】特開２００６−１３５８７４号公報
【発明の開示】
【発明が解決しようとする課題】
【０００７】
しかし、特許文献１に記載されている技術では、無線携帯端末との情報のやりとりを、端末接合部を介して行っているため、１つの無線携帯端末に対して、無線携帯端末と通信を行う充電機能付き支持台が１つ必要である。つまり、家庭内に無線機器が複数ある場合、無線機器の数だけ充電機能付き支持台が必要となる。その為、家庭内に無線機器が複数ある場合は、ユーザにとって、大きなコストを要するという問題が生じる。
【０００８】
本発明では、アクセスポイントを介して無線機器をネットワークに接続する際の、認証情報の登録作業を、無線機器を購入した店舗内で安全に行うことができ、また、家庭内に複数の無線機器がある場合においても対応できる技術を提供することを目的とする。
【課題を解決するための手段】
【０００９】
本発明は、サーバと、ユーザとの関係において配置されている第１のアクセスポイントとなる装置と、無線機器を受け取る店舗に配置されている端末と、前記端末との関係において配置されている第２のアクセスポイントとなる装置と、がネットワークを介して接続される認証情報登録システムであって、
前記端末は、
ユーザが保有するユーザを識別する会員識別情報が記憶された記憶媒体から、前記会員識別情報を読み取り、ネットワーク介して前記サーバに送信する手段を有し、
前記サーバは、
前記会員識別情報と、第１の前記アクセスポイントとなる装置を識別するアクセスポイント識別情報と、を対応づけて記憶している手段と、
前記端末から、前記会員識別情報を受信し、引き続き、第２の前記アクセスポイントとなる装置を介して、前記無線機器から前記無線機器識別情報を受信する手段と、
受信した前記会員識別情報に対応する前記アクセスポイント識別情報を特定する手段と、
特定した前記アクセスポイント識別情報で識別される第１の前記アクセスポイントとなる装置に、前記無線機器から受信した前記無線機器識別情報を、ネットワークを介して送信する手段と、を有し、
第１の前記アクセスポイントとなる装置は、
前記サーバから前記無線機器識別情報を、ネットワークを介して受信し、前記サーバから受信した前記無線機器識別情報を登録する手段を有する
ことを特徴とする。
【発明を実施するための最良の形態】
【００１０】
以下、本発明の実施形態について図面を参照して説明する。以下の実施形態では、ユーザが無線機器５００を自宅のアクセスポイントを介してネットワークと接続することを目的として購入し、無線機器を購入した店舗にて、認証情報の登録を行う場合を、例として説明する。
【００１１】
図１および図２は、本実施形態の認証情報登録システムの全体構成図である。図１はユーザが無線機器５００を購入する際の認証情報登録システムの全体構成図である。図２は、ユーザが無線機器５００を購入し、ユーザの自宅に帰宅した後の認証情報登録システムの全体構成図である。
【００１２】
本実施形態の認証情報登録システムは、無線機器５００を購入することのできる店舗で発行されている会員カード８００と、無線機器５００を購入することのできる店舗に設置された店舗端末２００と、店舗端末２００との関係において設置されたアクセスポイントとなる装置３００（以下、「店舗ＡＰ（Ａｃｃｅｓｓ  Ｐｏｉｎｔ）３００」と称する。）と、ユーザとの関係において設置されているアクセスポイントとなる装置４００（以下、「ユーザＡＰ４００」と称する。）と、会員サーバ７００と、を有する。
【００１３】
会員サーバ７００は、ネットワーク６００を介して、店舗端末２００と接続されている。また、会員サーバ７００は、ネットワーク６００を介して、店舗ＡＰ３００、および、ユーザＡＰ４００と接続されている。
【００１４】
（会員カード８００）
会員カード８００は、無線機器５００を購入することができる店舗で発行されているカードである。会員カード８００には、ユーザを識別する会員ＩＤ（Ｉｄｅｎｔｉｆｉｃａｔｉｏｎ、以下、「ＩＤ」と略記する。）が記憶される。会員カード８００に記憶されている会員ＩＤは、後述する店舗端末２００のカードリーダ２４０によって、読み取られる。会員カード８００としては、例えば、磁気カードやＩＣカードを用いることができる。もちろん、これに限られず、ユーザを識別する会員ＩＤが記憶される記憶媒体であればよい。
【００１５】
（店舗端末２００）
図３は、本実施形態の認証情報登録システムにおける、店舗端末２００のハードウェア構成図である。
【００１６】
店舗端末２００は、制御装置２１０と、記憶装置２２０と、通信機器２３０と、カードリーダ２４０と、表示パネル２５０と、入力装置２６０と、プリンタ２７０と、を有する。
【００１７】
通信機器２３０は、会員サーバ７００とのネットワーク６００を介した情報通信の制御を行う。カードリーダ２４０は、会員カード８００との間の、会員カード８００の物理的な特性に応じた物理的相互作用（例えば、電磁誘導、静電誘導など）によって、会員カード８００に格納されている会員ＩＤの読み取りを行う。表示パネル２５０には、会員サーバ７００から、通信装置２３０を介して受信した情報が表示される。入力装置２６０は、店舗端末２００を操作して登録作業を行う店員（以下、「登録担当者」と称する。）からの入力を受け付ける。プリンタ２７０は、通信装置２３０を介して、会員サーバ７００から受信した情報を印刷する。
【００１８】
記憶装置２２０には、店舗端末２００が設置されている店舗を識別する店舗端末ＩＤが記憶されている。また、記憶装置２２０には、登録担当者を識別する登録担当者ＩＤが記憶されている。登録担当者ＩＤは、登録作業が開始される前に、予め、店舗端末２００の入力装置２６０を介して受け付け、記憶している。
【００１９】
制御装置２１０は、通信機器２３０を介して、会員サーバ７００との間で情報の授受を行うと共に、店舗端末２００内での制御および情報の処理を行う。
【００２０】
具体的には、制御装置２１０はカードリーダ２４０で読み取った会員ＩＤを、通信機器２３０を介して会員サーバ７００に送信する。このとき、会員ＩＤを読み取った日時を購入日時とした機器の購入日時と、記憶装置２２０に記憶されている店舗ＩＤと、登録担当者ＩＤと、を会員ＩＤと供に通信機器２３０を介して会員サーバ７００に送信する。
【００２１】
また、制御装置２１０は、入力装置２６０で受けた入力情報を、通信機器２３０を介して会員サーバ７００に送信する。
【００２２】
そして、制御装置２１０は会員サーバ７００から送信される情報を、通信機器２３０を介して受信し、受信した情報を表示パネル２５０に表示する。また、制御装置２１０は会員サーバ７００から送信される情報を、通信機器２３０を介して受信し、プリンタ２７０に印刷させる。
【００２３】
（店舗ＡＰ３００）
店舗ＡＰ３００のハードウェア構成は、図示しないが、ＣＰＵと、記憶装置と、入力装置と、出力装置と、インターフェースと、を有した、一般的アクセスポイントとなる装置と同様である。
【００２４】
店舗ＡＰ３００は、事前に登録担当者によって、無線機器５００との認証情報を、入力装置を介して受けつけ、記憶装置に記憶されている。
【００２５】
（ユーザＡＰ４００）
ユーザＡＰ４００のハードウェア構成は、図示しないが、ＣＰＵと、記憶装置と、入力装置と、出力装置と、インターフェースと、を有した、一般的アクセスポイントとなる装置と同様である。
【００２６】
ユーザＡＰ４００は、ネットワーク６００を介して、使用しているＷＥＰキーの送信を促す旨の情報を会員サーバ７００から受信すると、ネットワーク６００を介して、使用しているＷＥＰキーを会員サーバ７００に送信する。
【００２７】
また、ユーザＡＰ４００は、ネットワーク６００を介して、無線機器５００のＭＡＣアドレスと登録接続期限を会員サーバ７００から受信する。そして、受信した無線機器５００のＭＡＣアドレスと登録接続期限を、記憶装置に登録し、無線機器５００の検出を行う。そして、登録接続期限内に無線機器５００を検出しなかった場合、ネットワーク６００を介して、登録接続期限に達した無線機器５００のＭＡＣアドレスを会員サーバ７００に送信する。また、登録接続期限に達した無線機器５００のＭＡＣアドレスの登録を削除する。一方、登録接続期限内に無線機器５００を検出した場合、ネットワーク６００を介して、登録接続期限内に検出した無線機器５００のＭＡＣアドレスを会員サーバ７００に送信する。
【００２８】
（無線機器５００）
無線機器５００のハードウェア構成は、図示しないが、ＣＰＵと、記憶装置と、入力装置と、出力装置と、インターフェースと、を有した一般的な携帯電話、ゲーム機、パーソナルコンピュータと同様である。
【００２９】
無線機器５００は事前に登録担当者によって、店舗ＡＰ３００との認証情報を、入力装置を介して受けつけ、記憶装置に記憶されており、店舗ＡＰ３００を介して会員サーバ７００と接続が可能である。
【００３０】
無線機器５００の記憶装置には、機器名、ＭＡＣアドレスが記憶されており、無線機器５００は、電源の入力を検出すると、店舗ＡＰ３００を介して、機器名およびＭＡＣアドレスを会員サーバ７００に送信する。
【００３１】
また、無線機器５００は店舗ＡＰ３００を介して、ユーザＡＰ４００のＷＥＰキーを会員サーバ７００から受信する。そして、受信したユーザＡＰ４００のＷＥＰキーを記憶装置に登録し、電源の入力を検出すると、ユーザＡＰ４００の検出を行う。
【００３２】
（会員サーバ７００）
次に、本実施形態の会員サーバ７００の機能構成について説明する。図４は、本実施形態の認証情報登録システムにおける、会員サーバ７００の機能構成図である。
【００３３】
会員サーバ７００は、演算部７１０と、記憶部７２０と、入出力部７３０と、ネットワークインターフェース（ＩＦ）部７４０と、を有する。
【００３４】
（記憶部７２０）
記憶部７２０は、会員情報記憶部７２１と、認証情報記憶部７２２と、を有する。
【００３５】
（会員情報記憶部７２１）
会員情報記憶部７２１には、会員情報１０００が記憶されている。図５は、会員情報１００のデータ構造を示す図である。図５に示すように、会員情報１０００は、会員ＩＤを登録するフィールド１００１と、会員名を登録するフィールド１００２と、ユーザＡＰ４００のＩＤを登録するフィールド１００３と、ユーザＡＰのＷＥＰキーを登録するフィールド１００４と、を有する。そして、会員情報１０００では、各フィールドに登録している情報は対応付けられて、１つのレコード１００５に記憶されている。
【００３６】
会員ＩＤを登録するフィールド１００１への会員ＩＤの登録と、会員名を登録するフィールド１００２への会員名の登録と、ユーザＡＰ４００のＩＤを登録するフィールド１００３へのユーザＡＰ４００のＩＤの登録と、は店舗が会員カード８００を発行する際に行われている。
【００３７】
（認証情報記憶部７２２）
認証情報記憶部７２２には、認証情報２０００が記憶されている。図６は、認証情報２０００のデータ構造を示す図である。図６に示すように、認証情報２０００は、機器登録ＩＤを登録するフィールド２００１と、会員ＩＤを登録するフィールド２００２と、機器名を登録するフィールド２００３と、ＭＡＣアドレスを登録するフィールド２００４と、機器の購入日時を登録するフィールド２００５と、店舗ＩＤを登録するフィールド２００６と、登録担当者ＩＤを登録するフィールド２００７と、機器の接続状態を登録するフィールド２００８と、登録接続期限を登録するフィールド２００９と、を有する。そして、会員情報１０００では、各フィールドに登録している情報は対応付けられて、１つのレコード２０１０に記憶されている。
【００３８】
機器の接続状態としては、登録接続期限内の状態を表す「登録接続期限内」と、登録期限切れの状態を表す「登録接続期限切れ」と、登録接続を行い稼働している状態を表す「稼働・登録接続済み」と、がある。機器の接続状態を登録するフィールド２００８の初期値は、「登録接続期限内」である。
【００３９】
（演算部７１０）
演算部７１０は、会員情報管理部７１１と、認証情報管理部７１２と、を有する。
【００４０】
（会員情報管理部７１１）
会員情報管理部７１１は、会員情報１０００を検索することで、店舗端末２００から受信した会員ＩＤに対応するユーザＡＰ４００のＩＤを特定し、特定したユーザＡＰ４００のＩＤで特定されるユーザＡＰ４００に対して、使用しているＷＥＰキーの送信を促す旨の情報を、ネットワーク６００を介して送信する。そして、会員情報管理部７１１は、ユーザＡＰ４００から使用しているＷＥＰキーを受信し、会員情報１０００のユーザＡＰのＷＥＰキーを登録するフィールド１００４への取得したＷＥＰキーの登録を行う。なお、このとき、ユーザＡＰのＷＥＰキーを登録するフィールド１００４に既に登録されているＷＥＰキーがある場合は、取得したＷＥＰキーに更新する。
【００４１】
（認証情報管理部７１２）
認証情報管理部７１２は、ネットワークＩＦ部７４０を介して、店舗端末２００から会員ＩＤと、店舗ＩＤと、登録担当者ＩＤと、機器の購入日時と、を受信する。そして、会員情報１０００を検索し、受信した会員ＩＤが会員情報１０００に登録されているか否か判断する。その結果、受信した会員ＩＤが会員情報１０００に登録されていないと判断した場合、事前登録ができない旨を示す事前登録不可情報を、ネットワークＩＦ部７４０を介して、店舗端末２００に送信する。一方、受信した会員ＩＤが会員情報１０００に登録されていると判断した場合、登録接続期限の入力を促す旨の情報を、ネットワークＩＦ部７４０を介して、店舗端末２００に送信する。
【００４２】
認証情報管理部７１２は、ネットワークＩＦ部７４０を介して、店舗端末２００から登録接続期限を受信すると、機器登録ＩＤを作成し、認証情報２０００に新しいレコード２０１０を作成する。そして、新しいレコード２０１０の、機器登録ＩＤを登録するフィールド２００１への作成した機器登録ＩＤの登録と、会員ＩＤを登録するフィールド２００２への受信した会員ＩＤの登録と、機器の購入日時を登録するフィールド２００５への受信した機器の購入日時の登録と、店舗ＩＤを登録するフィールド２００６への受信した店舗ＩＤの登録と、登録担当者ＩＤを登録するフィールド２００７への受信した登録担当者ＩＤの登録と、登録接続期限を登録するフィールド２００９への受信した登録接続期限の登録と、を行う。なお、このとき、機器の接続状態を登録するフィールド２００８には、初期値である「登録接続期限内」が登録されている。
【００４３】
認証情報管理部７１２は、無線機器５００の電源を入れることを促す情報を、ネットワークＩＦ部７４０を介して、店舗端末２００に送信する。
【００４４】
認証情報管理部７１２は、ネットワークＩＦ部７４０を介して、無線機器５００から無線機器５００の機器名と、無線機器５００のＭＡＣアドレスを受信すると、機器情報２０００の機器名を登録するフィールド２００３へ受信した機器名の登録と、ＭＡＣアドレスを登録するフィールド２００４へ受信したＭＡＣアドレスの登録と、を行う。
【００４５】
機器情報管理部７１２は、ユーザＡＰ４００が使用しているＷＥＰキーを認証情報２０００から読み出し、ネットワークＩＦ部７４０を介して無線機器５００に送信する。また、機器情報管理部７１２は無線機器５００のＭＡＣアドレスと、登録接続期限と、を認証情報２０００から読み出し、ネットワークＩＦ部７４０を介してユーザＡＰ４００に送信する。
【００４６】
機器情報管理部７１２は、無線機器５００を購入した機器の購入日時と、会員名と、購入機器名と、ユーザＡＰのＩＤと、登録接続期限と、機器登録ＩＤと、登録担当者と、を含む事前登録完了情報３０００を生成し、ネットワークＩＦ部７４０を介して、事前登録完了情報３０００を店舗端末２００に送信する。
【００４７】
ここで、事前登録完了情報３０００は、会員情報１０００から読み出した会員名と、ユーザＡＰのＩＤと、に認証情報２０００から読み出した購入した無線機器５００の機器名と、機器登録ＩＤと、無線機器５００を購入した機器の購入日時と、登録担当者と、登録接続期限と、を対応付けて１つのレコードを作成することで作成する。
【００４８】
また、認証情報管理部７１２は、ネットワークＩＦ部７４０を介して、ユーザＡＰ４００から、登録接続期限に達した無線機器５００のＭＡＣアドレスを受信する。そして、認証情報管理部７１２は、認証情報２０００において、受信した登録接続期限に達した無線機器５００のＭＡＣアドレスに対応する、機器の接続状態を「登録接続期限内」から「登録接続期限切れ」に更新する。
【００４９】
認証情報管理部７１２は、ネットワークＩＦ部７４０を介して、ユーザＡＰ４００から登録接続期限内に検出した無線機器５００のＭＡＣアドレスを受信する。そして、認証情報管理部７１２は、認証情報２０００において、受信した登録接続期限内に検出した無線機器５００のＭＡＣアドレスに対応する、機器の接続状態を「登録接続期限内」から「稼働・登録接続済み」に更新する。
【００５０】
（入出力部７３０）
入出力部７３０は、会員サーバ７００を管理する管理者からの入力の受付を行う。また、会員サーバ７００内の情報をディスプレイや印刷装置などへの出力を行う。
【００５１】
（ネットワークＩＦ部７４０）
ネットワークＩＦ部７４０は、店舗端末２００と、店舗ＡＰ３００と、ユーザＡＰ４００と、ネットワーク６００を介した情報通信の制御を行う。
【００５２】
（ハードウェア構成について）
図７は本実施形態の倉庫作業支援システムにおける、管理サーバ７００のハードウェア構成図である。
【００５３】
これまで述べたように構成される会員サーバ７００は、例えば、図７に示すような、ＣＰＵ９１１と、ＲＡＭなどの主記憶装置９１２と、ネットワーク６００を介した無線設備基地局２００との通信、および、入力装置９２０、出力装置９３０、補助記憶装置９４０との通信を行うインタフェース９１３と、を有する演算装置９１０と、キーボードやマウスなどの入力装置９２０と、ディスプレイなどの出力装置９３０と、ＨＤＤや、ＣＤ−ＲＯＭ、ＤＶＤ−ＲＯＭ等の可搬型記憶媒体などの補助記憶装置９４０と、を備えた一般的なコンピュータで実現される。
【００５４】
なお、インタフェース９１３としては、ＮＩＣ（Ｎｅｔｗｏｒｋ  Ｉｎｔｅｒｆａｃｅ  Ｃａｒｄ）などを含む。
【００５５】
例えば、図４に示す記憶部７２０は、補助記憶装置９４０により実現可能であり、演算部７１０は、補助記憶装置９４０に記憶されている所定のプログラムを主記憶装置９１２にロードしてＣＰＵ９１１で実行することで実現可能である。
【００５６】
この所定のプログラムは、インタフェース９１３を介してネットワーク６００から、補助記憶装置９４０にダウンロードされ、それから、主記憶装置９１２上にロードされてＣＰＵ９１１により実行されるようにしてもよい。
【００５７】
（処理手順）
次に、本実施形態の認証情報登録システムにおける処理について、図８〜図１３を用いて説明する。
【００５８】
（無線機器を購入した店舗での事前登録時の処理について）
まず、本実施形態の認証情報登録システムにおける、無線機器を購入した店舗での事前登録時の処理について説明する。
【００５９】
図８〜図１１は、本実施形態の認証情報登録システムにおける、無線機器を購入した店舗での事前登録時の処理について説明する図である。
【００６０】
ユーザは無線機器５００を特定し、無線機器５００を購入する。その際、ユーザは、ユーザが保有している会員カード８００を登録担当者に提示する。
【００６１】
店舗端末２００のカードリーダ２４０は、会員カード８００との間の、会員カード８００の物理的な特性に応じた物理的相互作用（例えば、電磁誘導、静電誘導など）によって、会員カード８００に格納されている会員ＩＤの読み取りを行う（Ｓ１０００）。店舗端末２００の制御装置２１０は、カードリーダ２４０で読み取った会員ＩＤを、ネットワーク６００を介して、会員サーバ７００に送る（Ｓ１０１０）。このとき、制御装置２１０は、記憶装置２２０から読み出した店舗ＩＤおよび店員ＩＤと、会員ＩＤを読み取った日時を購入日時とした機器の購入日時と、を会員ＩＤと供に通信機器２３０を介して会員サーバ７００に送信する。
【００６２】
会員サーバ７００の認証情報管理部７１２は会員ＩＤと、機器の購入日時と、店舗ＩＤと、店員ＩＤ、を、ネットワーク６００を介して受信する（Ｓ１０２０）。認証情報管理部７１２は、会員情報記憶部７２１内の会員情報１０００を検索し、受信した会員ＩＤが会員情報１０００に登録されているか否か判断する（Ｓ１０３０）。
【００６３】
その結果、認証情報管理部７１２は受信した会員ＩＤが会員情報１０００に登録されていないと判断した場合、事前登録設定ができない旨を示す事前設定不可情報を、ネットワーク６００を介して店舗端末２００に送信する（Ｓ１０４０）。
【００６４】
店舗端末２００の制御装置２１０は、会員サーバ７００から、事前設定不可情報を受信し、事前設定不可情報を表示パネル２５０に表示する（Ｓ１０５０）。そして、店員はユーザに対して、無線機器５００の事前登録設定を行えないことを伝える。
【００６５】
一方、認証情報管理部７１２は、受信した会員ＩＤが会員情報１０００に登録されていると判断した場合、認証情報管理部７１２は、登録接続期限（例えば、ユーザが自宅に帰るまでの時間）の入力を促す情報を、ネットワーク６００を介して店舗端末２００に送信する（Ｓ１０６０）。
【００６６】
店舗端末２００の制御装置２１０は、会員サーバ７００から、登録接続期限の入力を促す情報を受信し、登録接続期限の入力を促す情報を表示パネル２５０に表示する（Ｓ１０７０）。店舗端末２００の制御装置２１０は、入力装置２６０を介して、登録接続期限の入力を受け付ける（Ｓ１０８０）。入力された登録接続期限を、ネットワーク６００を介して会員サーバ７００に送信する（Ｓ１０９０）。
【００６７】
認証情報管理部７１２は、店舗端末２００から登録期限情報を受信すると、機器登録ＩＤを作成し、認証情報２０００に新たなレコード２００９を作成する（Ｓ１１００）。そして、機器登録ＩＤを登録するフィールド２００１への作成した機器登録ＩＤの登録、会員ＩＤを登録するためのフィールド２００２への受信した会員ＩＤの登録と、機器の購入日時を登録するフィールド２００４への受信した機器の購入日時の登録と、店舗ＩＤを登録するフィールド２００５への受信した店舗ＩＤの登録と、店員ＩＤを登録するフィールド２００６への受信した店員ＩＤの登録と、登録接続期限を登録するフィールド２００８への受信した登録接続期限の登録と、を行う（Ｓ１１１０）。
【００６８】
次に、認証情報管理部７１２は、無線機器５００の電源を入れることを促す旨を示す情報を、ネットワーク６００を介して店舗端末２００に送信する（Ｓ１１２０）。
【００６９】
店舗端末２００の制御装置２１０は、会員サーバ７００から、無線機器５００の電源を入れることを促す旨を示す情報を受信し、無線機器５００の電源を入れることの旨を示す情報を表示パネル２５０に表示する（Ｓ１１３０）。
【００７０】
表示パネル２５０に無線機器５００の電源を入れることの旨を示す情報が表示されていると、登録担当者は店舗内で無線機器５００の電源を入れるタイミングを知ることができる。
【００７１】
無線機器５００は、電源の入力を検出すると（Ｓ１１４０）、事前に登録担当者によって無線機器５００との認証情報の登録作業を済ませてある店舗ＡＰ３００を介して、会員サーバ７００と接続し、無線機器５００の機器名およびＭＡＣアドレスを会員サーバ７００に送信する（Ｓ１１５０）。
【００７２】
機器情報管理部７１２は、無線機器５００から無線機器５００の機器名およびＭＡＣアドレスを受信し、Ｓ１１００で作成した認証情報２０００のレコードにおいて、機器名を登録するフィールド２００３への受信した機器名の登録と、ＭＡＣアドレスを登録するフィールド２００４への受信したＭＡＣアドレスの登録と、を行う（Ｓ１１６０）。
【００７３】
次に、会員情報管理部７１１は、会員情報１０００を検索し、Ｓ１０２０で受信した会員ＩＤに対応するユーザＡＰ４００のＩＤを特定する（Ｓ１１７０）。Ｓ１１７０で特定したユーザＡＰ４００のＩＤで特定されるユーザＡＰ４００に対して、使用しているＷＥＰキーの送信を促す旨の情報を、ネットワーク６００を介して送信する（Ｓ１１８０）。  ユーザＡＰ４００は、ネットワーク６００を介して、使用しているＷＥＰキーの送信を促す旨の情報を会員サーバ７００から受信すると（Ｓ１１９０）、ネットワーク６００を介して、使用しているＷＥＰキーを会員サーバ７００に送信する（Ｓ１２００）。
【００７４】
会員情報管理部７１１は、ユーザＡＰ４００から使用しているＷＥＰキーを、ネットワーク６００を介して受信し、会員情報１０００のＳ１０２０で受信した会員ＩＤに対応するユーザＡＰのＷＥＰキーを登録するフィールド１００４への取得したＷＥＰキーの登録を行う（Ｓ１２１０）。なお、このとき、ユーザＡＰのＷＥＰキーを登録するフィールド１００４に既に登録されているＷＥＰキーがある場合は、取得したＷＥＰキーに更新する。
【００７５】
Ｓ１２１０で、会員情報管理部７１１によって、会員情報１０００のユーザＡＰのＷＥＰキーを登録するフィールド１００４の登録または更新が行われると、機器情報管理部７１２は、ユーザＡＰ４００が使用しているＷＥＰキーを認証情報２０００から読み出し、店舗ＡＰ３００を介して、ユーザＡＰ４００が使用しているＷＥＰキーを無線機器５００に送信する（Ｓ１２２０）。
【００７６】
無線機器５００は、店舗ＡＰ３００を介して、ユーザＡＰ４００のＷＥＰキーを会員サーバ７００から受信し、無線機器５００の記憶装置（図表しない）に登録する（Ｓ１２３０）。
【００７７】
また、機器情報管理部７１２は無線機器５００のＭＡＣアドレスと、登録接続期限と、を認証情報２０００から読み出し、ネットワーク６００を介して、無線機器５００のＭＡＣアドレスと、登録接続期限と、をユーザＡＰ４００に送信する（Ｓ１２４０）。
【００７８】
ユーザＡＰ４００は、ネットワーク６００を介して、無線機器５００のＭＡＣアドレスと、登録接続期限と、を会員サーバ７００から受信し、受信したＭＡＣアドレスと、登録接続期限と、をユーザＡＰ４００の記憶装置（図表しない）に登録する（Ｓ１２５０）。
【００７９】
また、機器情報管理部７１２は、会員名と、ユーザＡＰのＩＤと、購入した無線機器５００の機器名と、機器登録ＩＤと、無線機器５００を購入した購入日時と、登録担当者と、登録接続期限と、を含む事前登録完了情報３０００を、作成する（Ｓ１２６０）。事前登録完了情報３０００は、会員情報１０００から読み出した会員名と、ユーザＡＰのＩＤと、に、認証情報２０００から読み出した購入した無線機器５００の機器名と、機器登録ＩＤと、無線機器５００を購入した購入日時と、登録担当者と、登録接続期限と、を対応付けて１つのレコードを作成することで作成する。そして、機器情報管理部７１２は、ネットワーク６００を介して、事前登録完了情報３０００を店舗端末２００に送信する（Ｓ１２７０）。
【００８０】
店舗端末２００の制御装置２１０は、通信機器２３０を介して事前登録完了情報３０００を受信すると、事前登録完了情報３０００をプリンタ２７０に印刷させる（Ｓ１２８０）。登録担当者は、事前登録完了情報３０００が印刷された物（例えば、購入レシートなどの紙）をユーザに渡す。
【００８１】
（店舗での事前登録後の処理について）
次に、本実施形態の認証情報登録システムにおける、店舗での事前登録の後の処理について、図１２と図１３を用いて説明する。
【００８２】
ユーザＡＰ４００は、Ｓ１２５０で会員サーバ７００から受信したＭＡＣアドレスと、登録接続期限をユーザＡＰ４００の記憶装置（図表しない）に登録すると、ユーザＡＰ４００は、無線機器５００の検索を開始する（Ｓ３０００）。
【００８３】
一方、ユーザは購入した無線機器５００をユーザの自宅に持ち帰る。そして、ユーザは無線機器５００の電源を入れる。無線機器５００は電源の入力を検出すると（Ｓ３０１０）、ユーザＡＰ４００の検索を開始する（Ｓ３０２０）。
【００８４】
次に行われる処理については、ユーザＡＰ４００が無線機器５００を登録接続期限内に検出しなかった場合と、登録接続期限内に検出した場合と、に分けて説明する。
【００８５】
（ｉ）ユーザＡＰ４００が無線機器５００を登録接続期限内に検出しなかった場合
図１２は、ユーザＡＰ４００が無線機器５００を登録接続期限内に検出しなかった場合の、本実施形態の認証情報登録システムにおける、店舗での事前登録後の処理について説明する図である。
【００８６】
ユーザＡＰ４００は、登録接続期限に達したとき、ネットワーク６００を介して、登録接続期限に達した無線機器５００のＭＡＣアドレスを会員サーバ７００に送信する（Ｓ３０３０）。また、ユーザＡＰ４００は、登録接続期限に達した無線機器５００のＭＡＣアドレスの登録を削除する（Ｓ３０４０）。
【００８７】
会員サーバ７００の認証情報管理部７１２は、ネットワーク６００を介して、ユーザＡＰ４００から、登録接続期限に達した無線機器５００のＭＡＣアドレスを受信する。そして、認証情報管理部７１２は、認証情報２０００において、受信した登録接続期限に達した無線機器５００のＭＡＣアドレスに対応する、機器の接続状態を「登録接続期限内」から「登録接続期限切れ」に更新する（Ｓ３０５０）。
【００８８】
（ｉｉ）ユーザＡＰ４００が無線機器５００を登録接続期限内に検出した場合
図１３は、ユーザＡＰ４００が無線機器５００を登録接続期限内に検出した場合の、本実施形態の認証情報登録システムにおける、店舗での事前登録後の処理について説明する図である。
【００８９】
ユーザＡＰ４００は、登録接続期限内に無線機器５００を検出すると、ネットワーク６００を介して、登録接続期限内に検出した無線機器５００のＭＡＣアドレスを会員サーバ７００に送信する（Ｓ３０６０）。
【００９０】
会員サーバ７００の認証情報管理部７１２は、ネットワーク６００を介して、ユーザＡＰ４００から登録接続期限内に検出した無線機器５００のＭＡＣアドレスを受信する。そして、認証情報管理部７１２は、認証情報２０００において、受信した登録接続期限内に検出した無線機器５００のＭＡＣアドレスに対応する、機器の接続状態を「登録接続期限内」から「稼働・登録接続済み」に更新する（Ｓ３０７０）。
【００９１】
（事前登録完了情報３０００の印刷例）
次に、店舗端末２００のプリンタ２７０によって印刷された事前登録完了情報３０００の印刷例について説明する。
【００９２】
図１４は、店舗端末２００のプリンタ２７０によって印刷された事前登録完了情報３０００の印刷例である。
【００９３】
事前登録完了情報３０００は、プリンタ２７０によって、例えば、無線機器５００を購入した際のレシートに印刷される。無線機器５００を購入した購入日時と、会員名と、購入機器名と、ユーザＡＰのＩＤと、登録接続期限と、機器登録ＩＤと、登録担当者と、が印刷されている。登録接続期限が印刷されていることによって、ユーザは、登録接続期限を知ることができ、登録接続期限内にユーザの自宅で無線機器５００の電源を入れることができる。
【００９４】
以上述べたように、本発明によって、ユーザＡＰ４００への購入した無線機器５００のＭＡＣアドレスの登録、および、無線機器５００へのユーザＡＰ４００のＷＥＰキーの登録を、無線機器５００を購入した店舗で行うことができるため、ユーザは自宅にて、煩わしい登録作業を行わなくてもよい。また、登録作業が苦手なユーザにとっては、登録作業を行うサービスを行っている人をユーザの自宅に出張してもらい、登録作業を依頼しなくてもよく、大きなコストがかかることがない。
【００９５】
また、本発明は、家庭内に複数の無線機器がある場合においても対応できるため、ユーザは、新しく無線機器を購入するたびに、煩わしい登録作業を行う必要がない。また、認証情報の登録作業が苦手であるユーザにとっても、新しく無線機器を購入するたびに、登録作業を行うサービスを行っている人にユーザ宅に出張してもらい、登録作業を依頼する必要もなくなる。
【図面の簡単な説明】
【００９６】
【図１】本実施形態の認証情報登録システム（購入時）の全体構成図である。
【図２】本実施形態の認証情報登録システム（ユーザ帰宅後）の全体構成図である。
【図３】、本実施形態の認証情報登録システムにおける、店舗端末２００のハードウェア構成図である。
【図４】本実施形態の認証情報登録システムにおける、会員サーバ７００の機能構成図である。
【図５】本実施形態の認証情報登録システムにおける、会員情報１００のデータ構造を示す図である。
【図６】本実施形態の認証情報登録システムにおける、認証情報２０００のデータ構造を示す図である。
【図７】本実施形態の倉庫作業支援システムにおける、会員サーバ７００のハードウェア構成図である。
【図８】本実施形態の認証情報登録システムにおける、無線機器を購入した店舗での事前登録時の処理について説明する図である。
【図９】本実施形態の認証情報登録システムにおける、無線機器を購入した店舗での事前登録時の処理について説明する図である。
【図１０】本実施形態の認証情報登録システムにおける、無線機器を購入した店舗での事前登録時の処理について説明する図である。
【図１１】本実施形態の認証情報登録システムにおける、無線機器を購入した店舗での事前登録時の処理について説明する図である。
【図１２】ユーザＡＰ４００が無線機器５００を登録接続期限内に検出しなかった場合の、本実施形態の認証情報登録システムにおける、店舗での事前登録後の処理について説明する図である。
【図１３】ユーザＡＰ４００が無線機器５００を登録接続期限内に検出した場合の、本実施形態の認証情報登録システムにおける、店舗での事前登録後の処理について説明する図である。
【図１４】店舗端末２００のプリンタ２７０によって印刷された事前登録完了情報３０００の印刷例である。
【符号の説明】
【００９７】
２００：店舗端末、２１０：制御装置、２２０：記憶装置、２３０：通信装置、２４０：カードリーダ、２５０：表示パネル、２６０：入力装置、２７０：印刷装置、７００：会員サーバ、７１０：演算部、７１１：会員情報管理部、７１２：認証情報管理部、７２０：記憶部、７２１：会員情報記憶部、７２２：認証情報記憶部、７３０：入出力部、７４０：ネットワークインターフェース（ＩＦ部）、９１０：演算装置、９１１：ＣＰＵ、９１２：主記憶装置、９１３：インターフェース、９２０：入力装置、９３０：出力装置、９４０：補助記憶装置、１０００：会員情報、２０００：認証情報、３０００：事前登録完了情報
【図１】
2009182863.tif 000003
【図２】
2009182863.tif 000004
【図３】
2009182863.tif 000005
【図４】
2009182863.tif 000006
【図５】
2009182863.tif 000007
【図６】
2009182863.tif 000008
【図７】
2009182863.tif 000009
【図８】
2009182863.tif 000010
【図９】
2009182863.tif 000011
【図１０】
2009182863.tif 000012
【図１１】
2009182863.tif 000013
【図１２】
2009182863.tif 000014
【図１３】
2009182863.tif 000015
【図１４】
2009182863.tif 000016